【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
撮像画面の輝度を検出する輝度検出手段と、
前記輝度検出手段により検出された輝度を基に露出値を変更する自動露出制御手段と、
撮像画面内の輝度変化量を検出する輝度変化量検出手段とを有し、
前記輝度変化量検出手段により検出された輝度変化量が、あらかじめ設定された輝度変化量を超えた場合に、前記自動露出制御手段が露出値を固定することを特徴とする撮像装置。
【請求項２】
前記自動露出制御手段は、前記輝度変化量検出手段により検出された輝度変化量が予め設定された輝度変化量を超えた場合に、前記自動露出制御手段が露出値を固定し、露出制御方法を変更してから所定時間の間に所定の輝度変化量を超えなかった場合に、前記自動露出制御手段が露出制御方法を変更前の露出制御方法に戻すことを特徴とする請求項１に記載の撮像装置。
【請求項３】
前記撮像画面は複数のエリアに分割されており、前記輝度検出手段は分割されたエリア毎に輝度を検出し、所定のエリアにおいて、前記輝度変化量検出手段により検出された輝度変化量があらかじめ設定された輝度変化量を超えた場合、露出値を固定することを特徴とする請求項１乃至２いずれかに記載の撮像装置。
【請求項４】
前記自動露出制御手段は、露出状態の固定を開始した時点から所定時間が経過した場合に、露出状態の固定を解除し、前記輝度検出手段により検出された輝度を基に露出値を変更することを特徴とする請求項２乃至３いずれかに記載の撮像装置。
【請求項５】
前記自動露出制御手段は、露出値の固定を開始した時点から所定時間が経過するまでの間に、前記輝度変化量検出手段により検出された輝度変化量が予め設定された輝度変化量を超えなかった場合に、露出値の固定を解除することを特徴とする請求項２乃至３いずれかに記載の撮像装置。
【請求項６】
前記自動露出制御手段は、露出値の固定を開始した時点から所定時間が経過するまでの間に、前記輝度変化量検出手段により検出された輝度変化量が予め設定された輝度変化量を超えた場合に、露出値の固定を維持することを特徴とする請求項２，３又は５のいずれかに記載の撮像装置。
【請求項７】
前記所定のエリアとは撮像画面の端部に位置するエリアであることを特徴とする請求項３に記載の撮像装置。
【請求項８】
撮像画面の輝度を検出する輝度検出手段と、
前記輝度検出手段により検出された輝度を基に露出値を変更する自動露出制御手段と、
前記自動露出制御手段により変化した露出の量を検出する露出変化量検出手段とを有し、
前記露出変化量検出手段により検出された露出変化量が、予め設定された露出変化量よりも大きくなったら前記自動露出制御手段が露出値を固定することを特徴とする撮像装置。
【請求項９】
前記自動露出制御手段は、露出値の固定を開始した時点から所定時間が経過するまでの間に、前記輝度変化量検出手段により検出された輝度変化量が予め設定された輝度変化量を超えなかった場合に、露出値の固定を解除することを特徴とする請求項８に記載の撮像装置。
【請求項１０】
撮像画面の輝度を検出する輝度検出手段と、
前記輝度検出手段により検出された輝度を基に露出値を変更する自動露出制御手段と、
撮像画面内の輝度変化量を検出する輝度変化量検出手段とを有し、
前記輝度変化量検出手段により検出された輝度変化量が、予め設定された輝度変化量を超えた場合に、前記自動露出制御手段が露出値の変更量に限度を設けることを特徴とする撮像装置。
【請求項１１】
前記自動露出制御手段は、露出値の固定を開始した時点から所定時間が経過するまでの間に、前記輝度変化量検出手段により検出された輝度変化量が予め設定された輝度変化量を超えなかった場合に、前記自動露出制御手段が露出値の変更量に限度を設けることを解除することを特徴とする請求項１０に記載の撮像装置。
【請求項１２】
複数のエリアに分割された撮像画面のエリア毎の輝度を検出する輝度検出手段と、
前記輝度検出手段により検出されたエリア毎の輝度に第１の重み付けをして露出状態を変更する自動露出制御手段と、
前記エリア毎の撮像画面内の輝度変化量を検出する輝度変化量検出手段とを有し、
所定のエリアにおいて前記輝度変化量検出手段により検出された輝度変化量が予め設定された輝度変化量を超えた場合に、少なくとも所定時間の間は前記エリア毎の輝度に前記第１の重み付けとは異なる第２の重み付けをして露出値を変更することを特徴とする撮像装置。
【請求項１３】
前記自動露出手段は、重み付けを変化させた時点から前記所定時間が経過するまでの間に、前記輝度変化量検出手段により検出された輝度変化量が予め設定された輝度変化量を超えなかった場合に、前記第１の重み付けをして露出値を変更することを特徴とする請求項１２に記載の撮像装置。
【請求項１４】
撮像画面の輝度を検出する輝度検出工程と、
前記輝度検出工程により検出された輝度を基に露出値を変更する自動露出制御工程と、
撮像画面内の輝度変化量を検出する輝度変化量検出工程とを有し、
前記輝度変化量検出工程により検出された輝度変化量が、あらかじめ設定された輝度変化量を超えた場合に、前記自動露出制御工程が露出値を固定することを特徴とする撮像装置の露出制御方法。
【請求項１５】
撮像画面の輝度を検出し、検出された輝度を基に露出値を変更する撮像装置の露出制御方法であって、
撮像画面内の輝度変化量を検出する輝度変化量検出工程と、
前記輝度変化量検出手段により検出された輝度変化量が、予め設定された輝度変化量を超えた場合に、前記自動露出制御手段が露出値の変更量に限度を設ける工程とを有することを特徴とする撮像装置の露出制御方法。
【請求項１６】
複数のエリアに分割された撮像画面のエリア毎の輝度を検出し、前記エリア毎の輝度に重み付けをして露出状態を変更する撮像装置の露出制御方法であって、
撮像画面内の輝度変化量を検出する輝度変化量検出工程と、
所定のエリアにおいて前記輝度変化量検出手段により検出された輝度変化量が予め設定された輝度変化量を超えた場合に、少なくとも所定時間の間は前記エリア毎の輝度に前記重み付けとは異なる重み付けをして露出値を変更することを特徴とする撮像装置の露出制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００８
【補正方法】変更
【補正の内容】
【０００８】
上記課題を解決し、目的を達成するために、本発明の撮像装置は、撮像画面の輝度を検出する輝度検出手段と、前記輝度検出手段により検出された輝度を基に露出値を変更する自動露出制御手段と、撮像画面内の輝度変化量を検出する輝度変化量検出手段とを有し、前記輝度変化量検出手段により検出された輝度変化量が、あらかじめ設定された輝度変化量を超えた場合に、前記自動露出制御手段が露出値を固定することを特徴とする。
【手続補正４】
【補正対象書類名】明細書
【補正対象項目名】０００９
【補正方法】変更
【補正の内容】
【０００９】
また、上記課題を解決し、目的を達成するために、本発明の撮像装置の制御方法は、撮像画面の輝度を検出する輝度検出工程と、前記輝度検出工程により検出された輝度を基に露出値を変更する自動露出制御工程と、撮像画面内の輝度変化量を検出する輝度変化量検出工程とを有し、
前記輝度変化量検出工程により検出された輝度変化量が、あらかじめ設定された輝度変化量を超えた場合に、前記自動露出制御工程が露出値を固定することを特徴とする。